(57)【要約】【課題】空調機器を好適に制御して、快適性の低下を抑制すること。【解決手段】複数の空調機器１０の運転実績を示す運転実績データと、会議のスケジュールが登録された予定表データとを取得し、取得した予定表データと、運転実績データとに基づいて、予定表データに登録された予定された会議を行う空調ゾーン２５を決定し、決定した空調ゾーン２５において行われる会議の参加人数に基づき、決定した空調ゾーン２５に対応づけられた空調機器１０の運転状態を、空調機器１０の電力消費を削減した省エネ運転状態とするか、電力消費を削減しない通常運転状態とするかを決定し、空調機器１０を制御するパラメータであって、決定した運転状態に対応した空調制御パラメータを生成し、生成した空調制御パラメータを、決定した空調ゾーン２５に対応づけられた空調機器１０に送信する。【選択図】図１１
2020135313.tif 000002
【特許請求の範囲】
【請求項１】
複数の空調機器と、室内の複数のゾーンとが対応づけられ、複数の前記ゾーンごとに複数の前記空調機器の運転計画を生成する運転計画方法であって、
複数の前記空調機器の運転実績を示す運転実績データを取得するステップと、
会議のスケジュールが登録された予定表データを取得するステップと、
前記予定表データと、運転実績データとに基づいて、前記予定表データに登録された予定された会議を行うゾーンを決定するステップと、
決定した前記ゾーンにおいて行われる会議の参加人数に基づき、決定した前記ゾーンに対応づけられた前記空調機器の運転状態を、前記空調機器の電力消費を削減した省エネ運転状態とするか、電力消費を削減しない通常運転状態とするかを決定するステップと、
前記空調機器を制御するパラメータであって、決定した前記運転状態に対応したパラメータを生成するステップと、
生成した前記パラメータを、決定した前記ゾーンに対応づけられた前記空調機器に送信するステップと、
を有することを特徴とする運転計画方法。
【請求項２】
前記ゾーンを決定するステップは、
過去に開催された会議の参加人数を、過去の前記予定表データから取得し、
前記予定された会議の参加予定人数と同数、又は前記参加予定人数との差が予め設定された範囲内の開催された会議を検出し、
検出した前記開催された会議が行われたゾーンを、前記予定された会議を行うゾーンに決定することを特徴とする請求項１記載の運転計画方法。
【請求項３】
前記空調機器の運転状態を決定するステップは、
前記予定された会議の参加予定人数が、予め設定されたしきい値未満である場合、前記空調機器の運転状態を前記省エネ運転状態と決定し、
前記参加予定人数が、前記しきい値以上である場合、前記空調機器の運転状態を前記通常運転状態と決定することを特徴とする請求項１又は２記載の運転計画方法。
【請求項４】
前記ゾーンを決定するステップにより決定した前記ゾーン内の会議場所を、会議の参加者が所持する端末装置に通知するステップを有することを特徴とする請求項１から３のいずれか一項に記載の運転計画方法。
【請求項５】
前記予定表データには、会議の属性を示す属性データが含まれ、
前記ゾーンを決定するステップは、前記予定された会議に設定された属性と同一の属性を有する前記開催された会議を過去の前記予定表データから検出し、
検出した前記開催された会議が行われたゾーンを、前記予定された会議を行うゾーンに決定することを特徴とする請求項２記載の運転計画方法。
【請求項６】
前記属性データには、優先順位が設定され、
第１の会議と、前記第１の会議と開催予定の日時が重複する第２の会議とが同一のゾーンに設定され、前記第１の会議と前記第２の会議とを前記ゾーン内で同時に開催することができない場合に、優先順位が高い前記属性データに基づいて設定された会議を、設定された前記ゾーンで行う会議に決定することを特徴とする請求項５記載の運転計画方法。
【請求項７】
前記空調機器の運転状態を決定するステップは、検出した前記開催された会議が行われたゾーンに対応づけられた空調機器の運転状態と同一の運転状態に設定することを特徴とする請求項２記載の運転計画方法。
【請求項８】
室内の複数のゾーンの各々に対応づけられた複数の空調機器の運転計画を生成する運転制御装置であって、
複数の前記空調機器の運転実績を示す運転実績データと、会議のスケジュールが登録された予定表データと、を取得する取得部と、
前記予定表データと、運転実績データとに基づいて、前記予定表データに登録された予定された会議を行うゾーンを決定するゾーン決定部と、
決定した前記ゾーンにおいて行われる会議の参加人数に基づき、決定した前記ゾーンに対応づけられた前記空調機器の運転状態を、前記空調機器の電力消費を削減した省エネ運転状態とするか、電力消費を削減しない通常運転状態とするかを決定する運転状態決定部と、
前記空調機器を制御するパラメータであって、決定した前記運転状態に対応したパラメータを生成する生成部と、
生成した前記パラメータを、決定した前記ゾーンに対応づけられた前記空調機器に送信する送信部と、
を備えることを特徴とする運転制御装置。
【請求項９】
室内の複数のゾーンの各々に対応づけられた複数の空調機器と、
複数の前記空調機器の運転計画を生成する運転制御装置と、を備える運転計画システムであって、
前記運転制御装置は、
複数の前記空調機器の運転実績を示す運転実績データと、会議のスケジュールが登録された予定表データと、を取得する取得部と、
前記予定表データと、運転実績データとに基づいて、前記予定表データに登録された予定された会議を行うゾーンを決定するゾーン決定部と、
決定した前記ゾーンにおいて行われる会議の参加人数に基づき、決定した前記ゾーンに対応づけられた前記空調機器の運転状態を、前記空調機器の電力消費を削減した省エネ運転状態とするか、電力消費を削減しない通常運転状態とするかを決定する運転状態決定部と、
前記空調機器を制御するパラメータであって、決定した前記運転状態に対応したパラメータを生成する生成部と、
生成した前記パラメータを、決定した前記ゾーンに対応づけられた前記空調機器に送信する送信部と、
を備えることを特徴とする運転計画システム。
【発明の詳細な説明】
【技術分野】
【０００１】
本発明は、運転計画方法、運転制御装置及び運転計画システムに関する。
【背景技術】
【０００２】
従来、人の移動を考慮した空調制御が知られている。例えば、特許文献１は、対象者の移動情報に基づいて将来の時刻における対象者の移動を予測して予測移動情報を作成し、作成した予測移動情報に基づき空調機を制御するための空調制御情報を生成する空調制御方法を開示する。
【先行技術文献】
【特許文献】
【０００３】
【特許文献１】特開２０１６−８５０１４号公報
【発明の概要】
【発明が解決しようとする課題】
【０００４】
しかしながら、センサーにより人を検出して空調機器を制御する場合、空調機器の制御が遅延する可能性があり、ユーザの快適性が損なわれる場合がある。
【０００５】
本発明は、前記従来の課題を解決するもので、空調機器を好適に制御して、快適性の低下を抑制することを目的とする。
【課題を解決するための手段】
【０００６】
前記目的を達成するため、本発明の運転計画方法は、複数の空調機器と、室内の複数のゾーンとが対応づけられ、複数の前記ゾーンごとに複数の前記空調機器の運転計画を生成する運転計画方法であって、複数の前記空調機器の運転実績を示す運転実績データを取得するステップと、会議のスケジュールが登録された予定表データを取得するステップと、前記予定表データと、運転実績データとに基づいて、前記予定表データに登録された予定された会議を行うゾーンを決定するステップと、決定した前記ゾーンにおいて行われる会議の参加人数に基づき、決定した前記ゾーンに対応づけられた前記空調機器の運転状態を、前記空調機器の電力消費を削減した省エネ運転状態とするか、電力消費を削減しない通常運転状態とするかを決定するステップと、前記空調機器を制御するパラメータであって、決定した前記運転状態に対応したパラメータを生成するステップと、生成した前記パラメータを、決定した前記ゾーンに対応づけられた前記空調機器に送信するステップと、を有することを特徴とする。
【０００７】
これによれば、予定表データと、運転実績データとに基づいて、予定された会議を行うゾーンを決定し、決定したゾーンに対応づけられた空調機器を制御するパラメータを生成して、対応づけられた空調機器に送信する。このため、予定された会議が開かれるゾーンに対応した空調機器の運転状態を好適に制御して、予定された会議が開かれるゾーンの快適性の低下を抑制することができる。
【発明の効果】
【０００８】
本発明の運転計画方法は、予定表データと、運転実績データとに基づいて、予定された会議を行うゾーンを決定し、決定したゾーンに対応づけられた空調機器を制御するパラメータを生成して、対応づけられた空調機器に送信する。このため、予定された会議が開かれるゾーンに対応した空調機器の運転状態を好適に制御して、予定された会議が開かれるゾーンの快適性の低下を抑制することができる。
【図面の簡単な説明】
【０００９】
【図１】運転計画システムのシステム構成図。
【図２】空調機器と、空調ゾーンとの対応関係を示す図。
【図３】空調ゾーン内のテーブルの配置の一例を示す図。
【図４】端末装置の構成を示すブロック図。
【図５】空調制御装置の構成を示すブロック図。
【図６】予定表管理テーブルの一例を示す図。
【図７】運転実績管理テーブルの一例を示す図。
【図８】ユーザ情報管理テーブルの一例を示す図。
【図９】対象空間のレイアウトの一例を示す図。
【図１０】優先順位テーブルの一例を示す図。
【図１１】空調制御装置の動作を示すフローチャート。
【図１２】優先順位の変更画面を示す図。
【発明を実施するための形態】
【００１０】
第１の発明は、複数の空調機器と、室内の複数のゾーンとが対応づけられ、複数の前記ゾーンごとに複数の前記空調機器の運転計画を生成する運転計画方法であって、複数の前記空調機器の運転実績を示す運転実績データを取得するステップと、会議のスケジュールが登録された予定表データを取得するステップと、前記予定表データと、運転実績データとに基づいて、前記予定表データに登録された予定された会議を行うゾーンを決定するステップと、決定した前記ゾーンにおいて行われる会議の参加人数に基づき、決定した前記ゾーンに対応づけられた前記空調機器の運転状態を、前記空調機器の電力消費を削減した省エネ運転状態とするか、電力消費を削減しない通常運転状態とするかを決定するステップと、前記空調機器を制御するパラメータであって、決定した前記運転状態に対応したパラメータを生成するステップと、生成した前記パラメータを、決定した前記ゾーンに対応づけられた前記空調機器に送信するステップと、を有することを特徴とする。
【００１１】
これによれば、予定表データと、運転実績データとに基づいて、予定された会議を行うゾーンを決定し、決定したゾーンに対応づけられた空調機器を制御するパラメータを生成して、対応づけられた空調機器に送信する。このため、予定された会議が開かれるゾーンに対応した空調機器の運転状態を好適に制御して、予定された会議が開かれるゾーンの快適性の低下を抑制することができる。
【００１２】
第２の発明は、前記ゾーンを決定するステップは、過去に開催された会議の参加人数を、過去の前記予定表データから取得し、前記予定された会議の参加予定人数と同数、又は前記参加予定人数との差が予め設定された範囲内の開催された会議を検出し、検出した前記開催された会議が行われたゾーンを、前記予定された会議を行うゾーンに決定することを特徴とする。
【００１３】
これによれば、過去に行われた会議であって、予定された会議の参加予定人数と同数、又は参加予定人数との差が予め設定された範囲内の会議が行われたゾーンを、会議を行うゾーンに決定することができる。従って、会議が行われたゾーンに対応づけられた空調機器の運転実績データに基づいて空調機器を制御することで、予定された会議が開かれるゾーンの快適性の低下を抑制することができる。
【００１４】
第３の発明は、前記空調機器の運転状態を決定するステップは、前記予定された会議の参加予定人数が、予め設定されたしきい値未満である場合、前記空調機器の運転状態を前記省エネ運転状態と決定し、前記参加予定人数が、前記しきい値以上である場合、前記空調機器の運転状態を前記通常運転状態と決定することを特徴とする。
【００１５】
これによれば、予定された会議の参加予定人数に基づいて空調機器の運転状態を、省エネ運転状態、又は通常運転状態に決定することができる。このため、予定された会議の参加予定人数が少ない場合には、空調機器を省エネ運転状態とすることで、電力消費を削減することができる。また、予定された会議の参加予定人数が多い場合には、空調機器を通常運転状態とすることで、会議が開かれるゾーンの快適性の低下を抑制することができる。
【００１６】
第４の発明は、前記ゾーンを決定するステップにより決定した前記ゾーン内の会議場所を、会議の参加者が所持する端末装置に通知するステップを有することを特徴とする。
【００１７】
これによれば、予定された会議の参加予定者に、会議が開かれる会議場所を通知することができる。
【００１８】
第５の発明は、前記予定表データには、会議の属性を示す属性データが含まれ、前記ゾーンを決定するステップは、前記予定された会議に設定された属性と同一の属性を有する前記開催された会議を過去の前記予定表データから検出し、検出した前記開催された会議が行われたゾーンを、前記予定された会議を行うゾーンに決定することを特徴とする。
【００１９】
これによれば、予定された会議に設定された属性と同一の属性を有する開催された会議を過去の予定表データから検出し、検出した開催された会議が行われたゾーンを、予定された会議を行うゾーンに決定することができる。従って、会議が行われたゾーンに対応づけられた空調機器の運転実績データに基づいて空調機器を制御することで、予定された会議が開かれるゾーンの快適性の低下を抑制することができる。
【００２０】
第６の発明は、前記属性データには、優先順位が設定され、第１の会議と、前記第１の会議と開催予定の日時が重複する第２の会議とが同一のゾーンに設定され、前記第１の会議と前記第２の会議とを前記ゾーン内で同時に開催することができない場合に、優先順位が高い前記属性データに基づいて設定された会議を、設定された前記ゾーンで行う会議に決定することを特徴とする。
【００２１】
これによれば、第１の会議と、第１の会議と開催予定の日時が重複する第２の会議とが同一のゾーンに設定された場合に、優先順位が高い属性で選択された会議を、ゾーンで行う会議として優先的に選択することができる。
【００２２】
第７の発明は、前記空調機器の運転状態を決定するステップは、検出した前記開催された会議が行われたゾーンに対応づけられた空調機器の運転状態と同一の運転状態に設定することを特徴とする。
【００２３】
これによれば、開催された会議が行われたゾーンに対応づけられた空調機器の運転状態と同一の運転状態に設定して、予定された会議が開かれるゾーンの快適性の低下を抑制することができる。
【００２４】
第８の発明は、室内の複数のゾーンの各々に対応づけられた複数の空調機器の運転計画を生成する運転制御装置であって、複数の前記空調機器の運転実績を示す運転実績データと、会議のスケジュールが登録された予定表データと、を取得する取得部と、前記予定表データと、運転実績データとに基づいて、前記予定表データに登録された予定された会議を行うゾーンを決定するゾーン決定部と、決定した前記ゾーンにおいて行われる会議の参加人数に基づき、決定した前記ゾーンに対応づけられた前記空調機器の運転状態を、前記空調機器の電力消費を削減した省エネ運転状態とするか、電力消費を削減しない通常運転状態とするかを決定する運転状態決定部と、前記空調機器を制御するパラメータであって、決定した前記運転状態に対応したパラメータを生成する生成部と、生成した前記パラメータを、決定した前記ゾーンに対応づけられた前記空調機器に送信する送信部と、を備えることを特徴とする。
【００２５】
これによれば、予定表データと、運転実績データとに基づいて、予定された会議を行うゾーンを決定し、決定したゾーンに対応づけられた空調機器を制御するパラメータを生成して、対応づけられた空調機器に送信する。このため、予定された会議が開かれるゾーンに対応した空調機器の運転状態を好適に制御して、予定された会議が開かれるゾーンの快適性の低下を抑制することができる。
【００２６】
第９の発明は、室内の複数のゾーンの各々に対応づけられた複数の空調機器と、複数の前記空調機器の運転計画を生成する運転制御装置と、を備える運転計画システムであって、前記運転制御装置は、複数の前記空調機器の運転実績を示す運転実績データと、会議のスケジュールが登録された予定表データと、を取得する取得部と、前記予定表データと、運転実績データとに基づいて、前記予定表データに登録された予定された会議を行うゾーンを決定するゾーン決定部と、決定した前記ゾーンにおいて行われる会議の参加人数に基づき、決定した前記ゾーンに対応づけられた前記空調機器の運転状態を、前記空調機器の電力消費を削減した省エネ運転状態とするか、電力消費を削減しない通常運転状態とするかを決定する運転状態決定部と、前記空調機器を制御するパラメータであって、決定した前記運転状態に対応したパラメータを生成する生成部と、生成した前記パラメータを、決定した前記ゾーンに対応づけられた前記空調機器に送信する送信部と、を備えることを特徴とする。
【００２７】
これによれば、予定表データと、運転実績データとに基づいて、予定された会議を行うゾーンを決定し、決定したゾーンに対応づけられた空調機器を制御するパラメータを生成して、対応づけられた空調機器に送信する。このため、予定された会議が開かれるゾーンに対応した空調機器の運転状態を好適に制御して、予定された会議が開かれるゾーンの快適性の低下を抑制することができる。
【００２８】
以下、添付図面を参照しながら本発明の実施形態について説明する。
図１は、本発明を適用した運転計画システム１のシステム構成図である。
運転計画システム１は、例えば、オフィスビル等の建物の空調を集中管理するシステムであり、複数の空調機器１０と、これら複数の空調機器１０を制御する空調制御装置１００とを備える。空調制御装置１００は、本発明の「運転制御装置」の一例に対応する。図１には、空調機器１０として、空調機器１０ａ、１０ｂ、１０ｃ、１０ｄ、１０ｅ及び１０ｆの６台を示すが、空調制御装置１００が制御する空調機器１０の台数は、任意である。また、以下では、空調機器１０ａ、１０ｂ、１０ｃ、１０ｄ、１０ｅ及び１０ｆを区別する必要がない場合、空調機器１０と表記する。
【００２９】
運転計画システム１は、例えば、オフィスビルの１つの階（フロアー）を空調の対象空間２０として、この対象空間２０を仕切り無しに区分けした複数の空調ゾーン２５（図２参照）を複数の空調機器１０により分担して空調するシステムである。
【００３０】
空調機器１０は、対象空間２０内に設置された複数の室内機と、室外に設置され、室内機に冷媒ガスを供給する室外機とを備える構成であってもよいし、室内機と室外機とが一体となった構成であってもよい。また、空調機器１０は、熱交換器（不図示）等を備え、空調機器１０から送出される風の温度の調整を調整可能な装置である。つまり、空調機器１０は、送風機能及び冷暖房機能を備える。空調機器１０の各々は、ケーブル５を介して空調制御装置１００に接続される。空調制御装置１００は、空調ゾーン２５の温度が、設定された温度となるように、空調機器１０の動作を制御する。
【００３１】
図２は、空調機器１０と、空調ゾーン２５との対応関係を示す図である。
本実施形態は、対象空間２０を上から見たときに、対象空間２０が空調ゾーン２５ａ、２５ｂ、２５ｃ、２５ｄ、２５ｅ及び２５ｆの６つのゾーンに分割されている。空調ゾーン２５ａ、２５ｂ、２５ｃ、２５ｄ、２５ｅ及び２５ｆの各々に対して空調機器１０ａ、１０ｂ、１０ｃ、１０ｄ、１０ｅ及び１０ｆが１台ずつ設置されている。本発明において空調ゾーン２５の数は６個に限らないことは言うまでもない。また、空調ゾーン２５の数と空調機器１０の数は同数でなくてもよい。例えば、１つの空調ゾーン２５を複数の空調機器１０により分担して空調してもよいし、複数の空調ゾーン２５を１つの空調機器１０により空調してもよい。また、本実施形態では、空調ゾーン２５ａ、２５ｂ、２５ｃ、２５ｄ、２５ｅ及び２５ｆのサイズは、同一であるとして説明するが、空調機器１０の能力に応じて空調ゾーン２５のサイズを変更してもよい。
【００３２】
図３は、空調ゾーン２５ａ内のテーブル４０の配置の一例を示す図である。
空調ゾーン２５には、会議の際に用いられるテーブル４０が配置されている。図３には、テーブル４０ａ、４０ｂ及び４０ｃの３つのテーブル４０が設置された例を示す。テーブル４０ａは、１４人掛けであり、テーブル４０ｂは、４人掛けであり、テーブル４０ｃは、７人掛けである。すなわち、空調ゾーン２５ａ内には、会議場所である３つのテーブル４０ａ、４０ｂ及び４０ｃ及び椅子が用意され、最大３つの会議を同時に行うことができる。なお、図３には、会議のメモ等を書き込むホワイトボード等の図示は省略する。
【００３３】
空調ゾーン２５ｂ、２５ｃ、２５ｄ、２５ｅ及び２５ｆも、空調ゾーン２５ａと同様に、テーブル４０や椅子が設置される。空調ゾーン２５ｂ、２５ｃ、２５ｄ、２５ｅ及び２５ｆに設置されるテーブル４０の数や、テーブル４０の座席数は任意である。
【００３４】
会議の参加者は、端末装置５０を所持している。端末装置５０には、例えば、携帯電話、スマートフォン、ＰＤＡ（Personal Digital Assistant）、タブレット端末、パソコン、専用リモコン端末等が用いられる。なお、端末装置５０は、会議の参加者全員が所持している必要はなく、例えば、会議の主催者だけが所持していてもよい。
【００３５】
参加者は、端末装置５０を操作して予約情報を入力する。予約情報には、例えば、会議の主催者を識別する主催者ＩＤや、会議の開催予定日時、会議の参加予定者を識別する参加者ＩＤ、属性データ等が含まれる。属性データには、例えば、会議を秘匿で行うか否かを示す秘匿情報や、会議の種別を示す会議種別情報、会議に参加可能な参加者の職種や役職を規定した職種／役職情報等が含まれる。会議種別情報には、例えば、連絡会議、意志決定会議、プレゼンテーション、講義等が含まれる。なお、予約情報の入力は、会議の参加者の１人、例えば、主催者が行えばよい。端末装置５０は、受け付けた予約情報を、通信ネットワーク６０を介して空調制御装置１００に送信する。
【００３６】
図４は、端末装置５０の構成を示すブロック図である。
図４を参照しながら端末装置５０の構成について説明する。端末装置５０は、無線通信部５１、表示部５２、操作部５３、記憶部５４及び制御部５５を備える。
【００３７】
無線通信部５１は、運転計画システム１が構築された建物内に設けられたアクセスポイント３０を介して無線ＬＡＮ（Local Area Network）等の無線通信を実行する。無線通信部５１は、例えば、Ｗｉ−Ｆｉ（登録商標）、ＷｉＭＡＸ（登録商標）、３Ｇ移動通信、４Ｇ移動通信及びＢｌｕｅｔｏｏｔｈ（登録商標）等の規格による無線通信を実行するように構成することも可能である。
【００３８】
表示部５２は、例えば、液晶パネルや有機ＥＬ等のディスプレイ（不図示）を備え、制御部５５の制御に従って動画像や静止画像、文字、図形等の画像をディスプレイに表示させる。
【００３９】
操作部５３は、ボタンやスイッチ等のハードウェアキーを備え、受け付けた操作に対応した操作信号を制御部５５に出力する。操作部５３は、表示部５２にタッチパネルを設けて、タッチパネルに対するタッチ操作を検出する構成であってもよい。
【００４０】
記憶部５４は、例えば、ＲＡＭ等の揮発性の記憶装置と、ＲＯＭやフラッシュメモリ等の不揮発性の記憶装置とを備える。記憶部５４は、ＯＳ（Operating System）やアプリケーションプログラム等の制御プログラムを記憶する。アプリケーションプログラムには、例えば、会議の予約を行う予約アプリが含まれる。
【００４１】
制御部５５は、ＣＰＵ（Central Processing Unit）やマイコンにより構成されるプロセッサ（不図示）を備える。プロセッサは、記憶部５４が記憶する制御プログラムを実行して端末装置５０の各部を制御する。プロセッサは、単一のプロセッサにより構成してもよいし、複数のプロセッサにより構成することも可能である。
【００４２】
制御部５５は、予約アプリを選択する操作を操作部５３により受け付けると、選択された予約アプリを実行する。制御部５５が予約アプリを実行することで、会議の予約画面が表示部５２に表示される。予約画面の図示は省略する。例えば、会議の主催者は、表示部５２に表示された予約画面を見ながら、前述した予約情報を操作部５３により入力する。制御部５５は、予約情報が入力されると、無線通信部５１を制御して、受け付けた予約情報を空調制御装置１００に送信する。
【００４３】
図５は、空調制御装置１００の構成を示すブロック図である。
図５を参照しながら空調制御装置１００の構成について説明する。
空調制御装置１００は、第１通信部１１０、第２通信部１２０及び制御部１３０を備える。
【００４４】
第１通信部１１０は、ケーブル５が接続されるコネクター、及びケーブル５を介して受信又は送信される信号を処理するインターフェイス回路を備える。コネクター及びインターフェイス回路の図示は省略する。第１通信部１１０は、制御部１３０の制御に従い、制御部１３０が生成したパラメータを空調機器１０に送信する。パラメータについては後述する。
【００４５】
第２通信部１２０は、例えば、ＬＡＮ等の通信ネットワーク６０に接続する。通信ネットワーク６０には、アクセスポイント３０が接続される。第２通信部１２０は、端末装置５０から送信される予約情報を、通信ネットワーク６０を介して受信する。
【００４６】
制御部１３０は、記憶部１４０及びプロセッサ１５０を備える。
記憶部１４０は、例えば、フラッシュメモリや、ＥＥＰＲＯＭ（Electronically Erasable and Programmable Read Only Memory）、ＳＳＤ（Solid State Drive）等の不揮発性の記憶装置を備える。また、記憶部１４０は、プロセッサ１５０のワークエリアとして使用されるＲＡＭ等の揮発性の記憶装置を備える。また、記憶部１４０をハードディスクドライブにより構成することも可能であり、この場合、制御部１３０の外部に記憶部１４０を設けることも可能である。
【００４７】
記憶部１４０は、制御プログラム１４１、予定表管理テーブル１４２、運転実績管理テーブル１４３、ユーザ情報管理テーブル１４４、レイアウトデータ１４５及び優先順位テーブル１４６を記憶する。
【００４８】
制御プログラム１４１は、プロセッサ１５０が実行するＯＳや、ファームウエア等のプログラムである。
【００４９】
図６は、予定表管理テーブル１４２の一例を示す図である。
予定表管理テーブル１４２には、端末装置５０から受信した予約情報が登録される。予定表管理テーブル１４２には、主催者ＩＤ、開催予定日時、参加予定者数及び参加者ＩＤリストが、会議を識別する会議ＩＤに対応づけて登録される。また、予定表管理テーブル１４２には、属性情報として、秘匿情報、会議種別情報及び職種／役職情報が、会議ＩＤに対応づけて登録される。また、予定表管理テーブル１４２には、空調ゾーン２５のゾーンＩＤが、会議ＩＤに対応づけて登録される。このゾーンＩＤは、会議ＩＤの会議が開かれる空調ゾーン２５のゾーンＩＤであり、会議の開催前に制御部１３０によって決定される。以下では、予定表管理テーブル１４２に登録されたデータを「予定表データ」という。
【００５０】
図７は、運転実績管理テーブル１４３の一例を示す図である。
運転実績管理テーブル１４３には、空調機器１０の運転時間と、空調機器１０の運転実績を示す運転データと、会議の参加者の参加者数とが、空調ゾーン２５の識別情報であるゾーンＩＤに対応づけて登録される。運転実績管理テーブル１４３に登録された運転時間と、運転データと、参加者数とを総称して運転実績データという。
【００５１】
空調機器１０の運転時間及び運転データは、各空調機器１０から取得したデータである。運転データには、空調機器１０の運転状態、設定温度、風量、空調容量等の情報が含まれる。空調機器１０の運転状態には、省エネ運転状態と、通常運転状態とが含まれる。省エネ運転状態は、空調機器１０の電力消費を削減した動作モードであり、通常運転状態は、空調機器１０の電力消費を削減しない動作モードである。
【００５２】
また、空調容量は、空調機器１０が備えるインバータ（不図示）の負荷率を示す値であり、インバーターの負荷率が１００％である場合、空調容量は１００％であり、インバーターの負荷率が６０％である場合、空調容量は６０％である。本実施形態では、空調容量が１００％である場合を通常運転状態といい、空調容量が６０％以下を省エネ運転状態というが、通常運転状態及び省エネ運転状態である場合の空調容量と、空調機器１０の運転状態との関係は、任意に変更可能である。
【００５３】
また、空調制御装置１００が、各空調機器１０の運転時間や、空調機器１０に設定した空調制御パラメータを履歴として管理している場合、空調制御装置１００が空調制御パラメータの履歴に基づいて運転実績データを求めてもよい。
【００５４】
また、運転実績管理テーブル１４３に登録される参加者数は、制御部１３０が、過去に開催された会議の予定表データを参照して設定するデータである。
図６に示すように、予定表管理テーブル１４２には、会議の開催予定日時と、参加予定者数と、ゾーンＩＤとが会議ＩＤに対応づけて登録されている。制御部１３０は、会議の終了後、予定表管理テーブル１４２の会議の開催予定日時と、参加予定者数と、ゾーンＩＤとを参照して、空調ゾーンごとの会議の参加者数を集計し、集計した人数を参加者数として運転実績管理テーブル１４３に登録する。
【００５５】
図８は、ユーザ情報管理テーブル１４４の一例を示す図である。
ユーザ情報管理テーブル１４４には、社員のメールアドレスと、所属部署と、役職とが社員を識別する社員ＩＤに対応づけて登録されている。社員ＩＤは、図６の予定表管理テーブル１４２に登録された主催者ＩＤや、参加者ＩＤと共通のＩＤである。すなわち、会社の社員を一意に特定するＩＤが社員ＩＤであり、主催者ＩＤであり、参加者ＩＤである。
【００５６】
図９は、対象空間２０のレイアウトの一例を示す図である。
レイアウトデータ１４５には、対象空間２０内での空調ゾーン２５の位置を示すデータが含まれる。例えば、対象空間２０が図９に示すレイアウトである場合、レイアウトデータ１４５として、対象空間２０が、空調ゾーン２５ａ、２５ｂ、２５ｃ、２５ｄ、２５ｅ及び２５ｆの６つの空調ゾーン２５に分割されるとの情報が含まれる。
また、レイアウトデータ１４５には、空調ゾーン２５ａ、２５ｂ及び２５ｃが対象空間２０の北側に配置され、２５ｄ、２５ｅ及び２５ｆが対象空間２０の南側に配置されるとの情報が含まれる。
また、レイアウトデータ１４５には、空調ゾーン２５ａ及び２５ｄが対象空間２０の西側に配置され、空調ゾーン２５ｃ及び２５ｆが対象空間２０の東側に配置されるとの情報が含まれる。
また、レイアウトデータ１４５には、空調ゾーン２５ｂは、空調ゾーン２５ａと空調ゾーン２５ｃの間に配置され、空調ゾーン２５ｅは、空調ゾーン２５ｄと空調ゾーン２５ｆの間に配置されるとの情報が含まれる。
さらに、レイアウトデータ１４５には、空調ゾーン２５ａ、２５ｂ及び２５ｃの北側は通路であり、空調ゾーン２５ａ、２５ｄの西側も通路であるとの情報が含まれる。
【００５７】
また、レイアウトデータ１４５には、各空調ゾーン２５に含まれる会議場所数と、会議場所ごとの座席数とが含まれる。例えば、図３に示す空調ゾーン２５ａ内のテーブル４０の配置の場合、会議場所数として「３」が設定される。また、会議場所ごとの座席数として、会議場所：テーブル４０ａ、座席数「１４」、会議場所：テーブル４０ｂ、座席数「４」、会議場所：テーブル４０ｃ、座席数「７」が設定される。
【００５８】
図１０は、優先順位テーブル１４６の一例を示す図である。
優先順位テーブル１４６は、属性データである秘匿情報、会議種別情報及び職種／役職情報の優先順位を設定したテーブルである。優先順位は、例えば、運転計画システム１のシステム管理者により変更することができる。
【００５９】
図５に戻り、空調制御装置１００の構成について引き続き説明する。
プロセッサ１５０は、ＣＰＵやマイコン等で構成される演算処理装置である。プロセッサ１５０は、単一のプロセッサにより構成してもよいし、複数のプロセッサにより構成してもよい。また、プロセッサ１５０は、記憶部１４０の一部又は全部、その他の回路と統合されたＳｏＣで構成されてもよい。また、プロセッサ１５０は、プログラムを実行するＣＰＵと、所定の演算処理を実行するＤＳＰとの組合せにより構成してもよい。また、プロセッサ１５０の機能の全てを、ハードウェアに実装した構成としてもよく、プログラマブルデバイスを用いて構成してもよい。
【００６０】
制御部１３０は、プロセッサ１５０が制御プログラム１４１に記述された命令セットを実行してデータの演算や制御を行う。これにより、制御部１３０は、予定表管理部１５１、運転実績管理部１５２、ゾーン決定部１５３、運転計画作成部１５４、運転制御部１５５及び案内制御部１５６として機能する。
【００６１】
予定表管理部１５１は、端末装置５０から受信した予約情報を予定表管理テーブル１４２に登録する。予定表管理部１５１は、端末装置５０から予約情報を受信すると、会議を識別する会議ＩＤを生成する。また、予定表管理部１５１は、生成した会議ＩＤに、受信した予約情報に含まれる情報を対応づけて予定表管理テーブル１４２に登録する。
【００６２】
運転実績管理部１５２は、複数の空調機器１０の各々から運転データを取得する。運転実績管理部１５２が空調機器１０から運転データを取得するタイミングは任意であるが、例えば、一日に予定されたすべての会議が終了したタイミングを好適な例として挙げることができる。
運転実績管理部１５２は、運転データを取得すると、取得した運転データを、この運転データを取得した空調機器１０が空調を担当する空調ゾーンのゾーンＩＤに対応づけて運転実績管理テーブル１４３に登録する。
【００６３】
ゾーン決定部１５３は、予定表管理テーブル１４２と、運転実績管理テーブル１４３とを参照して、予定表管理テーブル１４２に登録された各会議を行う空調ゾーン２５を決定する。ゾーン決定部１５３は、本発明の「取得部」及び「ゾーン決定部」の一例に対応する。
まず、ゾーン決定部１５３は、空調ゾーン２５を決定する対象となる会議（以下、対象会議という）の参加予定者数を予定表管理テーブル１４２から取得する。
【００６４】
次に、ゾーン決定部１５３は、運転実績管理テーブル１４３を参照して、参加者数が、対象会議の参加予定者数に一致する運転実績データを検出する。また、ゾーン決定部１５３は、１つの会議の参加予定者数では、運転実績データの参加者数に一致しない場合、開催予定日時が重複する複数の会議を１つの対象会議とし、これら複数の会議の参加予定者数の合計が、参加者数に一致する運転実績データを検出する。以下では、１つの対象会議としてまとめられた開催予定日時が重複する複数の会議を、「会議の組」ともいう。
【００６５】
さらに、ゾーン決定部１５３は、対象会議の参加予定者数と、参加者数との差が予め設定された範囲内にある場合、この参加者数に対応する運転実績データを、対象会議に対応づける運転実績データとして検出してもよい。
【００６６】
また、ゾーン決定部１５３は、参加者数が、対象会議の参加予定者数に一致する運転実績データが複数検出された場合、検出された運転実績データのゾーンＩＤ及び運転時間に基づいて過去の予定表データを参照する。ゾーン決定部１５３は、ゾーンＩＤが一致し、運転時間が過去の予定表管理テーブル１４２の開催予定日時に重なる会議を検出する。検出される会議は、開催された会議である。ゾーン決定部１５３は、会議を検出すると、検出した会議の属性データと、対象会議の属性データとを比較する。ゾーン決定部１５３は、例えば、検出した会議の属性データと、対象会議の属性データとに一致する項目があるか否かを判定する。
【００６７】
本実施形態では、属性データは、秘匿情報、会議種別情報、職種／役職情報の順に優先順位が高く設定されている。ゾーン決定部１５３は、検出した会議に、対象会議の属性データと一致する複数の会議が検出された場合、優先順位の高い項目で一致した会議を選択する。例えば、開催された会議として会議Ａと会議Ｂとが検出され、会議Ａと対象会議は、「秘匿情報」で一致し、会議Ｂと対象会議は、「職種／役職情報」で一致すると仮定する。この場合、ゾーン決定部１５３は、会議Ａを検出した運転実績データに対応づけられたゾーンＩＤを、対象会議を行う空調ゾーン２５に決定する。
【００６８】
ゾーン決定部１５３は、予定表管理テーブル１４２に登録された１日分の会議のすべてをいずれかの空調ゾーン２５に割り当てると、開催予定日時が重複する対象会議を、同一の空調ゾーン２５に重複して割り当てているか否かを判定する。
例えば、１つの対象会議としての会議Ａ及び会議Ｂと、１つの対象会議としての会議Ｃ及び会議Ｄとが、同一の時間帯に同一の空調ゾーン２５である空調ゾーン２５ａに割り当てられたと仮定する。この場合、ゾーン決定部１５３は、会議Ａ及び会議Ｂの属性データと、会議Ｃ及び会議Ｄの属性データとに基づいて、いずれか一方の対象会議を選択する。会議Ａ及び会議Ｂは、本発明の「第１の会議」の一例に対応し、会議Ｃ及び会議Ｄは、本発明の「第２の会議」の一例に対応する。
【００６９】
上述のように優先順位は、秘匿情報、会議種別情報、職種／役職情報の順に設定されていると仮定する。また、属性データの各々にも優先順位が設定されている。例えば、秘匿情報は、「秘匿あり」の秘匿情報の優先順位が、「秘匿なし」の優先順位よりも高く設定されていると仮定する。また、会議種別情報は、例えば、意志決定会議、プレゼンテーション、連絡会議の順に優先順位が設定されていると仮定する。また、職種／役職情報のうちの職種は、例えば、研究職、営業、事務の順に優先順位が高く設定されていると仮定し、役職情報は、役職の高い順に優先順位が設定されていると仮定する。
【００７０】
まず、ゾーン決定部１５３は、会議Ａ及び会議Ｂの秘匿情報と、会議Ｃ及び会議Ｄの秘匿情報とを参照する。ゾーン決定部１５３は、例えば、会議Ａ及び会議Ｂのいずれか一方が「秘匿あり」であり、会議Ｃ及び会議Ｄは「秘匿なし」である場合、会議Ａ及び会議Ｂを空調ゾーン２５ａに割り当てる。
【００７１】
また、ゾーン決定部１５３は、会議Ａ及び会議Ｂの秘匿情報と、会議Ｃ及び会議Ｄの秘匿情報とが共通する場合、会議種別情報に基づいて空調ゾーン２５ａに割り当てる会議を決定する。
例えば、ゾーン決定部１５３は、会議Ａ及び会議Ｂの会議種別情報のうち、優先順位が高いほうの会議種別情報を選択する。同様に、ゾーン決定部１５３は、会議Ｃ及び会議Ｄの会議種別情報のうち、優先順位が高いほうの会議種別情報を選択する。
ゾーン決定部１５３は、選択した会議種別情報同士を比較して、優先順位が高い会議種別情報を選択する。ゾーン決定部１５３は、会議Ａ及び会議Ｂの会議種別情報の優先順位が高い場合、会議Ａ及び会議Ｂを空調ゾーン２５ａに割り当てる。また、ゾーン決定部１５３は、会議Ｃ及び会議Ｄの会議種別情報の優先順位が高い場合、会議Ｃ及び会議Ｄを空調ゾーン２５ａに割り当てる。
【００７２】
また、ゾーン決定部１５３は、会議Ａ及び会議Ｂの会議種別情報と、会議Ｃ及び会議Ｄの会議種別情報との優先順位が同一である場合、職種／役職種別情報に基づいて、空調ゾーン２５ａに割り当てる会議を決定する。
例えば、ゾーン決定部１５３は、会議Ａ及び会議Ｂの職種／役職種別情報のうち、優先順位が高い職種／役職種別情報を選択する。同様に、ゾーン決定部１５３は、会議Ｃ及び会議Ｄの職種／役職種別情報のうち、優先順位が高い職種／役職種別情報を選択する。
ゾーン決定部１５３は、選択した職種／役職種別情報を比較して、優先順位が高い職種／役職種別情報を選択する。ゾーン決定部１５３は、会議Ａ及び会議Ｂの職種／役職種別情報の優先順位が高い場合、会議Ａ及び会議Ｂを空調ゾーン２５ａに割り当てる。また、ゾーン決定部１５３は、会議Ｃ及び会議Ｄの職種／役職種別情報の優先順位が高い場合、会議Ｃ及び会議Ｄを空調ゾーン２５ａに割り当てる。
【００７３】
また、ゾーン決定部１５３は、空調ゾーン２５を決定するときに、対象空間２０のレイアウトデータ１４５や、会議種別情報に基づいて空調ゾーン２５を決定してもよい。
例えば、ゾーン決定部１５３は、会議種別情報が「講義」であり、多人数が参加を予定する会議である場合、レイアウトデータ１４５を参照して、通路から離れた窓側の空調ゾーン２５を選択してもよい。例えば、図９に示す空調ゾーン２５のレイアウトの場合、空調ゾーン２５として、空調ゾーン２５ｄ、２５ｅ及び２５ｆが選択される。
【００７４】
また、ゾーン決定部１５３は、開催予定日時が重複する複数の会議が存在しない場合、空調ゾーン２５に配置されたテーブル４０の座席数に基づいて空調ゾーン２５を決定してもよい。例えば、ゾーン決定部１５３は、レイアウトデータ１４５を参照して、座席数が参加予定者数と同数のテーブル４０を有する空調ゾーン２５を、対象会議を行う空調ゾーン２５として選択してもよい。また、ゾーン決定部１５３は、レイアウトデータ１４５を参照して、座席数が参加予定者数よりも多く、座席数と参加予定者数との差が最も小さいテーブル４０を有する空調ゾーン２５を、対象会議を行う空調ゾーン２５として選択してもよい。
【００７５】
また、ゾーン決定部１５３は、秘匿情報に基づいて空調ゾーン２５を決定してもよい。
例えば、会議Ａと会議Ｂとの開催予定日時が重複し、会議Ａと会議Ｂとのいずれか一方の秘匿情報が「秘匿あり」に設定されていると仮定する。ゾーン決定部１５３は、開催予定日時が重複している他の会議が他になく、会議が割り当てられない空調ゾーン２５が存在する場合、会議Ａと会議Ｂとの距離ができるだけ離れるように空調ゾーン２５を決定してもよい。例えば、図９に示す空調ゾーン２５ａに会議Ａを割り当て、空調ゾーン２５ｆに会議Ｂを割り当てる。
【００７６】
また、ゾーン決定部１５３は、開催予定日時が重複する会議が複数存在し、すべての会議の秘匿情報が「秘匿なし」に設定されている場合、会議を割り当てる空調ゾーン２５の数ができるだけ少なくなるように、複数の会議を空調ゾーン２５に割り当ててもよい。この場合、運転させる空調機器１０の数を低減させ、消費電力を削減させることができる。
【００７７】
運転計画作成部１５４は、各空調機器１０を制御する空調制御パラメータを決定する。運転計画作成部１５４は、本発明の「運転状態決定部」及び「生成部」の一例に対応する。空調制御パラメータには、運転状態、設定温度、風量、空調容量等の情報が含まれる。
運転計画作成部１５４は、空調ゾーン２５の決定の際に参照した運転実績データに基づいて、空調機器１０の運転状態を決定する。
【００７８】
例えば、ゾーンＩＤが「４」の空調ゾーン２５ｄに、参加者予定数「９人」を割り当てた場合、運転計画作成部１５４は、図７に示すようにゾーンＩＤ「４」に対応づけられた空調機器１０ｄを、空調容量１００％、運転状態を通常運転状態に設定する。運転計画作成部１５４は、設定温度や風量も運転実績データに基づいて決定してもよい。
また、ゾーンＩＤが「５」の空調ゾーン２５ｅに、参加者予定数「２人」を割り当てた場合、運転計画作成部１５４は、図７に示すように空調機器１０ｄを、空調容量６０％、運転状態を省エネ運転状態に設定する。
また、ゾーンＩＤが「６」の空調ゾーン２５ｆに、参加者予定数「７人」を割り当てた場合、運転計画作成部１５４は、図７に示すように空調機器１０ｄを、空調容量１００％、運転状態を通常運転状態に設定する。
【００７９】
また、運転計画作成部１５４は、同一の空調ゾーン２５に割り当てた会議の参加予定者数の合計を求め、求めた合計と予め設定されたしきい値とを比較し、対応する空調ゾーン２５に対応づけられた空調機器１０の運転状態を決定してもよい。
運転計画作成部１５４は、求めた会議の参加予定者数の合計がしきい値未満である場合、空調機器１０の運転状態を省エネ運転状態に設定する。また、運転計画作成部１５４は、会議の参加予定者数の合計がしきい値以上である場合、空調機器１０の運転状態を通常運転状態に設定する。
【００８０】
運転制御部１５５は、会議の開始時間になると、又は開始時間の所定時間前に、運転計画作成部１５４が決定した空調制御パラメータを対応する空調機器１０に送信し、空調装置１０を動作させる。運転制御部１５５及び第１通信部１１０は、本発明の「送信部」の一例に対応する。
【００８１】
案内制御部１５６は、例えば、会議の開催予定日の前日に、この会議に対応づけられた参加者ＩＤリストを予定表管理テーブル１４２から取得する。また、案内制御部１５６は、取得た参加者ＩＤリストに登録された参加者のメールアドレスをユーザ情報管理テーブル１４４から取得する。さらに、案内制御部１５６は、この会議に対応づけられたゾーンＩＤを予定表管理テーブル１４２から取得し、取得したゾーンＩＤが示す空調ゾーン２５を会議場所として案内するメールを作成する。案内制御部１５６は、作成したメールを、取得したメールアドレス宛てに送信する。なお、案内制御部１５６は、レイアウトデータ１４５と、予定表管理テーブル１４２の参加予定者数とを参照して、会議を開催可能なテーブル４０を特定し、特定したテーブル４０の位置を会議場所として案内するメールを作成してもよい。
【００８２】
図１１は、空調制御装置１００の動作を示すフローチャートである。
図１１に示すフローチャートを参照しながら空調制御装置１００の動作を説明する。
まず、制御部１３０は、予定表管理テーブル１４２に登録された１日分の会議の予定表データを取得する（ステップＳ１）。
【００８３】
次に、制御部１３０は、運転実績管理テーブル１４３に登録された運転実績データを取得する（ステップＳ２）。次に、制御部１３０は、ステップＳ１で取得した１日分の会議の予定表データと、ステップＳ２で取得した運転実績データとに基づいて空調ゾーン２５を決定する（ステップＳ３）。
【００８４】
制御部１３０は、上述したように、予定表データに含まれる１日分の会議について、空調ゾーン２５ａ〜２５ｆのいずれかを割り当てる。制御部１３０は、対象会議の参加予定者数が参加者数に一致する運転実績データ、又は、対象会議の参加予定者数と参加者数との差が予め設定された範囲内の運転実績データを検出する。制御部１３０は、検出した運転実績データに基づいて、対象会議を割り当てる空調ゾーン２５を決定する。
【００８５】
また、制御部１３０は、運転実績データが複数検出された場合、運転実績データの運転時間やゾーンＩＤに基づき、この運転時間に行われた会議を、運転実績データごとに検出する。制御部１３０は、運転実績データごとに検出した会議のうち、優先順位が高い属性で、対象会議の属性と一致する会議の運転実績データを選択する。制御部１３０は、選択した運転実績データに基づいて、対象会議を割り当てる空調ゾーン２５を決定する。
【００８６】
次に、制御部１３０は、開催予定日時が重複する複数の会議、又は会議の組を、同一の空調ゾーン２５に割り当てているか否かを判定する。制御部１３０は、開催予定日時が重複する会議、又は会議の組を、同一の空調ゾーン２５に割り当てていない場合、空調ゾーン２５の割り当てを終了する。
【００８７】
また、制御部１３０は、開催予定日時が重複する会議又は会議の組を、同一の空調ゾーン２５に割り当てている場合、同一の空調ゾーン２５に割り当てた会議又は会議の組の属性データに基づき、いずれか一方の会議又は会議の組を、空調ゾーン２５に割り当てる。
また、制御部１３０は、空調ゾーン２５の割り当てから外した会議又は会議の組を、これらの会議の開催予定日時に、会議が割り当てられていない空調ゾーン２５に再割り当てする。
【００８８】
次に、制御部１３０は、空調機器１０の運転状態を含む空調制御パラメータを決定する（ステップＳ４）。例えば、制御部１３０は、空調ゾーン２５の決定のときに参照した運転実績データに基づいて空調機器１０の運転状態や、空調制御パラメータを決定する。また、制御部１３０は、同一の空調ゾーン２５に割り当てた会議の参加予定者数の合計を求め、求めた合計と予め設定されたしきい値とを比較して、対応する空調ゾーン２５に対応づけられた空調機器１０の運転状態を決定してもよい。
【００８９】
次に、制御部１３０は、ユーザ情報管理テーブル１４４を参照して、会議の参加予定者のメールアドレスを取得し、取得したメールアドレス宛てに、会議の開催場所を案内するメールを送信する（ステップＳ５）。
【００９０】
次に、制御部１３０は、会議の開催予定日時となると、又は開催予定日時の予め設定された時間前になると、決定した空調制御パラメータを対応する空調機器１０に送信する（ステップＳ６）。
【００９１】
以上説明したように、本実施形態は、複数の空調機器１０と、室内の複数の空調ゾーン２５とが対応づけられ、複数の空調ゾーン２５ごとに複数の空調機器１０の運転計画を空調制御装置１００により生成する。
空調制御装置１００は、複数の空調機器１０の運転実績を示す運転実績データを取得し、会議のスケジュールが登録された予定表データを取得する。空調制御装置１００は、取得した予定表データと、運転実績データとに基づいて、予定表データに登録された予定された会議を行う空調ゾーン２５を決定する。
また、空調制御装置１００は、決定した空調ゾーン２５において行われる会議の参加人数に基づき、決定した空調ゾーン２５に対応づけられた空調機器１０の運転状態を、空調機器１０の電力消費を削減した省エネ運転状態とするか、電力消費を削減しない通常運転状態とするかを決定する。さらに、空調制御装置１００は、空調機器１０を制御するパラメータであって、決定した運転状態に対応したパラメータを生成し、生成したパラメータを、決定した空調ゾーン２５に対応づけられた空調機器１０に送信する。
【００９２】
これによれば、予定表データと、運転実績データとに基づいて、予定された会議を行う空調ゾーン２５を決定し、決定した空調ゾーン２５に対応づけられた空調機器１０を制御するパラメータを生成して、対応づけられた空調機器１０に送信する。このため、予定された会議が開かれる空調ゾーン２５に対応した空調機器１０の運転状態を好適に制御して、予定された会議が開かれる空調ゾーン２５の快適性の低下を抑制することができる。
【００９３】
また、会議を行う空調ゾーン２５を決定する場合、過去に開催された会議の参加人数を、過去の予定表データから取得し、予定された会議の参加予定人数と同数、又は参加予定人数との差が予め設定された範囲内の開催された会議を検出し、検出した開催された会議が行われた空調ゾーン２５を、会議を行う空調ゾーン２５に決定することを特徴とする。
【００９４】
これによれば、過去に行われた会議であって、予定された会議の参加予定人数と同数、又は参加予定人数との差が予め設定された範囲内の会議が行われた空調ゾーン２５を、会議を行う空調ゾーン２５に決定することができる。従って、会議が行われた空調ゾーン２５に対応づけられた空調機器１０の運転実績データに基づいて空調機器１０を制御することで、予定された会議が開かれる空調ゾーン２５の快適性の低下を抑制することができる。
【００９５】
また、空調機器１０の運転状態を決定する場合、予定された会議の参加予定人数が、予め設定されたしきい値未満である場合には、空調機器１０の運転状態を省エネ運転状態と決定し、参加予定人数が、しきい値以上である場合には、空調機器１０の運転状態を通常運転状態と決定することを特徴とする。
【００９６】
これによれば、予定された会議の参加予定人数に基づいて空調機器１０の運転状態を、省エネ運転状態、又は通常運転状態に決定することができる。このため、予定された会議の参加予定人数が少ない場合には、空調機器１０を省エネ運転状態とすることで、電力消費を削減することができる。また、予定された会議の参加予定人数が多い場合には、空調機器１０を通常運転状態とすることで、会議が開かれる空調ゾーン２５の快適性の低下を抑制することができる。
【００９７】
また、決定した空調ゾーン２５内の会議場所を、会議の参加者が所持する端末装置５０に通知する。
【００９８】
これによれば、予定された会議の参加予定者に、会議が開かれる会議場所を通知して、速やかに会議を開始させることができる。
【００９９】
また、予定表データには、会議の属性を示す属性データが含まれる。空調ゾーン２５を決定する場合、予定された会議に設定された属性と同一の属性を有する開催された会議を過去の予定表データから検出し、検出した開催された会議が行われた空調ゾーン２５を、予定された会議を行う空調ゾーン２５に決定することを特徴とする。
【０１００】
これによれば、予定された会議に設定された属性と同一の属性を有する開催された会議を過去の予定表データから検出し、検出した開催された会議が行われた空調ゾーン２５を、予定された会議を行う空調ゾーン２５に決定することができる。従って、会議が行われた空調ゾーン２５に対応づけられた空調機器１０の運転実績データに基づいて空調機器１０を制御することで、予定された会議が開かれる空調ゾーン２５の快適性の低下を抑制することができる。
【０１０１】
また、属性データには、優先順位が設定される。第１の会議と、第１の会議と開催予定の日時が重複する第２の会議とが同一の空調ゾーン２５に設定され、第１の会議と第２の会議とを空調ゾーン２５内で同時に開催することができない場合に、優先順位が高い属性データに基づいて設定された会議を、設定された空調ゾーン２５で行う会議に決定することを特徴とする。
【０１０２】
これによれば、第１の会議と、第１の会議と開催予定の日時が重複する第２の会議とが同一の空調ゾーン２５に設定された場合に、優先順位が高い属性で選択された会議を、空調ゾーン２５で行う会議として優先的に選択することができる。
【０１０３】
また、空調機器１０の運転状態を決定する場合、検出した開催された会議が行われた空調ゾーン２５に対応づけられた空調機器１０の運転状態と同一の運転状態に設定することを特徴とする。
【０１０４】
これによれば、開催された会議が行われた空調ゾーン２５に対応づけられた空調機器１０の運転状態と同一の運転状態に設定して、予定された会議が開かれる空調ゾーン２５の快適性の低下を抑制することができる。
【０１０５】
上述した実施形態は、本発明の好適な実施の形態である。ただし、この実施形態に限定されることなく、本発明の要旨を逸脱しない範囲内で種々の変形実施が可能である。
例えば、上述した実施形態では、空調制御装置１００が、予定表管理部１５１と、ゾーン決定部１５３及び運転計画作成部１５４とを備える構成について説明した。これ以外の構成として、予定表管理部１５１を備える装置と、ゾーン決定部１５３及び運転計画作成部１５４を備える装置とを別々の装置により構成してもよい。
【０１０６】
また、上述した実施形態では、属性データである秘匿情報、会議種別情報及び職種／役職情報の優先順位をシステム管理者だけが変更可能であるとして説明したが、例えば、会議の主催者により変更可能な構成としてもよい。
例えば、制御部１３０は、予定された会議をいずれかの空調ゾーン２５に割り当てることができなかった場合、図１２に示す優先順位の変更画面５７を、主催者の端末装置５０に表示させてもよい。主催者は、図１２に示す優先順位の変更画面５７を参照しながら属性データの優先順位を変更する操作を行う。制御部１３０は、属性データの優先順位が変更されると、変更された優先順位に従って、予定された会議をいずれかの空調ゾーン２５に再割り当てする。
【０１０７】
また、使用頻度が低く、運転実績データ数が少ない空調ゾーン２５に会議を割り当てる場合、この空調ゾーン２５を担当する空調機器１００の運転状態を、省エネ運転状態に設定してもよい。また、運転実績データ数が少ない空調ゾーン２５に隣接し、運転実績データ数が多い空調ゾーン２５が存在する場合、この運転実績データ数が多い空調ゾーン２５の空調機器１００の運転実績データに基づき、運転実績データ数が少ない空調ゾーン２５を担当する空調機器１００の空調制御パラメータを設定してもよい。
【０１０８】
また、空調制御装置１００は、会議を行う空調ゾーン２５を決定する場合に、会議の開催時期を考慮して空調ゾーン２５を決定してもよい。
例えば、空調制御装置１００は、会議の開催予定月が３月や４月、５月である場合、レイアウトデータ１４５を参照して、窓側に位置する空調ゾーン２５を優先的に選択するようにしてもよい。また、空調制御装置１００は、会議の開催予定月が１２月や、１月、２月である場合、レイアウトデータ１４５を参照して通路側に位置する空調ゾーン２５を優先的に選択するようにしてもよい。
【０１０９】
また、図５に示した空調制御装置１００の各機能部は機能的構成を示すものであって、具体的な実装形態は特に制限されない。つまり、必ずしも各機能部に個別に対応するハードウェアが実装される必要はなく、一つのプロセッサがプログラムを実行することで複数の機能部の機能を実現する構成とすることも勿論可能である。また、複数のプロセッサが協働して、一つまたは複数の機能部の機能を実現する構成とすることも可能である。さらに、上記実施形態においてソフトウェアで実現される機能の一部をハードウェアで実現してもよく、或いは、ハードウェアで実現される機能の一部をソフトウェアで実現してもよい。その他、表示システム１を構成する他の各部の具体的な細部構成についても、本発明の趣旨を逸脱しない範囲で任意に変更可能である。
【０１１０】
また、図１１に示すフローチャートの処理単位は、空調制御装置１００の処理を理解容易にするために、主な処理内容に応じて分割したものである。このため、図１１のフローチャートに示す処理単位の分割の仕方や名称によって本発明が制限されることはない。また、制御部１３０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【０１１１】
また、運転計画方法を、コンピュータを用いて実現する場合、このコンピュータに実行させるプログラムを記録媒体、又はこのプログラムを伝送する伝送媒体の態様で構成することも可能である。記録媒体には、磁気的、光学的記録媒体又は半導体メモリーデバイスを用いることができる。具体的には、フレキシブルディスク、ＨＤＤ（Ｈａｒｄ  Ｄｉｓｋ  Ｄｒｉｖｅ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ、Ｂｌｕ−ｒａｙ  Ｄｉｓｃ、光磁気ディスク、フラッシュメモリ、カード型記録媒体等の可搬型、或いは固定式の記録媒体が挙げられる。また、上記記録媒体は、空調制御装置１００が備えるＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ等の不揮発性記憶装置であってもよい。Ｂｌｕ−ｒａｙは、登録商標である。
【産業上の利用可能性】
【０１１２】
以上のように、本発明に係る運転計画方法は、対象空間２０を仕切り無しに区分けした複数の空調ゾーン２５を複数の空調機器１０により分担して空調するシステムに好適に利用可能である。
【符号の説明】
【０１１３】
１  運転計画システム
５  ケーブル
１０  空調機器
２０  対象空間
２５  空調ゾーン
３０  アクセスポイント
４０  テーブル
５０  端末装置
５１  無線通信部
５３  操作部
５４  記憶部
５５  制御部
５７  変更画面
６０  通信ネットワーク
１００  空調制御装置
１１０  第１通信部
１２０  第２通信部
１３０  制御部
１４０  記憶部
１４１  制御プログラム
１４２  予定表管理テーブル
１４３  運転実績管理テーブル
１４４  ユーザ情報管理テーブル
１４５  レイアウトデータ
１４６  優先順位テーブル
１５０  プロセッサ
１５１  予定表管理部
１５２  運転実績管理部
１５３  ゾーン決定部
１５４  運転計画作成部
１５５  運転制御部
１５６  案内制御部
【図１】
2020135313.tif 000003
【図２】
2020135313.tif 000004
【図３】
2020135313.tif 000005
【図４】
2020135313.tif 000006
【図５】
2020135313.tif 000007
【図６】
2020135313.tif 000008
【図７】
2020135313.tif 000009
【図８】
2020135313.tif 000010
【図９】
2020135313.tif 000011
【図１０】
2020135313.tif 000012
【図１１】
2020135313.tif 000013
【図１２】
2020135313.tif 000014